(57)【要約】【課題】  柄部を金属で形成した鍼灸針であっても容易に取り出すことができる鍼灸針包装容器を提供する。【解決手段】  本考案に係る鍼灸針包装容器は、針部と、針部の基端側に形成される柄部とを有する鍼灸針を包装する鍼灸針包装容器であって、柄部の外径より大きい内径を有する針管と、針管の一端に取り付けられる栓と、針管及び栓を覆う包装体とを備え、針管は、鍼灸針を針管内に挿入したときに、柄部の外端部が針管の他端から突出する長さに形成される。【選択図】図１
0003163634.tif 000002
【実用新案登録請求の範囲】
【請求項１】
針部と、前記針部の基端側に形成される柄部とを有する鍼灸針を包装する鍼灸針包装容器であって、
前記柄部の外径より大きい内径を有する針管と、
前記針管の一端に取り付けられる栓と、
前記針管及び栓を覆う包装体とを備え、
前記針管は、前記鍼灸針を前記針管内に挿入したときに、前記柄部の外端部が前記針管の他端から突出する長さに形成される鍼灸針包装容器。
【請求項２】
前記栓は、前記針管に嵌まる頂部と、前記頂部よりも半径方向に突出する底部とを備え、
前記包装体は、本体とシート材とからなり、
前記本体は、中央に前記針管及び栓を収納可能な収納部を有し、
前記収納部には、前記栓の前記底部と係合する凸部が形成される請求項１に記載の針灸針包装容器。
【考案の詳細な説明】
【技術分野】
【０００１】
本考案は、鍼灸針包装容器に関するものである。
【背景技術】
【０００２】
鍼灸治療に使用される鍼灸針は、衛生上の観点から、使い捨てにすることが望まれている。これに伴い、針管も使い捨てにする必要があり、鍼灸針と針管とを一体にして、包装する必要がある。加えて、鍼灸針と針管とを一体にして包装するにあたり、鍼灸針が針管から抜け出ず、かつ、容易に取り出せるように、鍼灸針の外端部を針管から突出させて保持する必要がある。このように、鍼灸針と針管とを一体にして包装した包装容器として、特許文献１に開示されるような、鍼灸針包装容器がある。特許文献１に開示される鍼灸針包装容器では、鍼灸針の柄部が、鍼灸針を覆う針管と同一の樹脂性材料で形成されており、柄部の外端部が針管から突き出た状態で柄部の一部を針管に溶着することで、鍼灸針を針管と一体にして包装容器内に保持している。
【先行技術文献】
【特許文献】
【０００３】
【特許文献１】特許第３７７９７５０号公報
【考案の概要】
【考案が解決しようとする課題】
【０００４】
しかしながら、特許文献１に開示されるような鍼灸針包装容器では、鍼灸針を容器から取り出す際に、柄部が針管に溶着されているため、柄部を針管から切り離す必要があり、その取り出しが面倒であるという問題があった。また、鍼灸針の柄部が樹脂性材料で形成されるため、柄部の上部にお灸を載せ治療を施す場合に、針部にお灸の熱が伝わりにくいという問題があった。加えて、鍼灸治療においては、鍼灸針に微弱電流を流すことにより電気治療を施す場合があり、この場合にも、柄部が樹脂性材料で形成されていると、針部に電気を送りにくいという問題があった。
【０００５】
本考案は、上記課題を解決するためになされたものであり、柄部を金属で形成した鍼灸針であっても容易に取り出すことができる鍼灸針包装容器を提供することを目的とする。
【課題を解決するための手段】
【０００６】
本考案に係る鍼灸針包装容器は、針部と、前記針部の基端側に形成される柄部とを有する鍼灸針を包装する鍼灸針包装容器であって、前記柄部の外径より大きい内径を有する針管と、前記針管の一端に取り付けられる栓と、前記針管及び栓を覆う包装体とを備え、前記針管は、前記鍼灸針を前記針管内に挿入したときに、前記柄部の外端部が前記針管の他端から突出する長さに形成される。
【０００７】
この構成によれば、針管に栓が取り付けられているため鍼灸針は針管から抜け出ず、かつ、針管の長さが、柄部の外端部が突出する長さに形成されているため、柄部をつかむことで、鍼灸針を針管から容易に取り出すことができる。これにより、柄部が樹脂製でなく、金属製の鍼灸針であっても容易に取り出すことが可能な包装容器を提供できる。
【０００８】
前記鍼灸針包装容器において、前記栓は、前記針管に嵌まる頂部と、前記頂部よりも半径方向に突出する底部とを備え、前記包装体は、本体とシート材とからなり、前記本体は、中央に前記針管及び栓を収納可能な収納部を有し、前記収納部には、前記栓の前記底部と係合する凸部が形成される。
【０００９】
この構成によれば、包装容器内で鍼灸針及び針管が動かない状態で収納部内にしっかりと保持される。また、包装容器から鍼灸針及び針管を一体として取り出すときには、栓の底部と凸部とが係合することで、栓が包装容器に残ることとなる。そのため、鍼灸針を包装容器から取り出して、そのまま使用することができる。
【考案の効果】
【００１０】
本考案に係る鍼灸針包装容器によれば、柄部を金属で形成した鍼灸針であっても、包装容器から容易に取り出すことができる。
【図面の簡単な説明】
【００１１】
【図１】本考案の鍼灸針包装容器の一実施形態を示す正面図である。
【図２】図１の側面図である。
【図３】図１の要部拡大図である。
【図４】図１の鍼灸針包装容器に用いられる針管を示す正面図である。
【図５】図１の鍼灸針包装容器に用いられる栓を示す正面図である。
【図６】図１の鍼灸針包装容器に用いられる包装体の本体を示す正面図である。
【図７】図１の鍼灸針包装容器に用いられる包装体の本体を示す側面図である。
【考案を実施するための形態】
【００１２】
以下、本考案に係る鍼灸針包装容器の一実施形態について添付図面を参照して説明する。図１及び図２は、本実施形態の鍼灸針包装容器１の外観構成を示している。図示例の鍼灸針包装容器１は、鍼灸針１０を包装するためのものであり、針管２０と針管２０の一端に取り付けられる栓２１と、針管２０及び栓２１を覆う包装体３０とを備える。
【００１３】
まず、この鍼灸針包装容器１で包装する鍼灸治療用の鍼灸針１０について説明する。鍼灸針１０には、公知である鍼灸治療用の鍼灸針が使用される。鍼灸針１０は、先端に針先を有する針部１１と、針部１１の基端側に形成される柄部１２とを有している。この針部１１及び柄部１２は、鍼灸治療に適した任意の長さ及び太さで形成されている。なお、柄部１２は、その外径が針部１１の外径よりも大きく形成されている。また、針部１１及び柄部１２は、本実施形態では金属製であり、特に、針部１１はステンレス鋼線材で、柄部１２はアルミニウムで、それぞれ形成されるのが好ましい。なお、柄部１２は、金属製に限られず、例えば樹脂製とすることも可能である。
【００１４】
針管２０は、図１、図２及び図４に示すように、所定の肉厚を有する円筒状のものであり、樹脂性材料により形成されている。針管２０の内径Ｄｔは、内部に鍼灸針１０を挿入するため、鍼灸針１０の柄部１２の外径Ｄｎよりも大きく形成されている。また、針管２０は、一端に栓２１が取り付けられた状態で鍼灸針１０を内部に挿入した場合に、鍼灸針１０の柄部１２の外端部が針管２０の他端から突出するように、長さＬｔが設定されている。
【００１５】
栓２１は、図１〜図３及び図５に示すように、樹脂性材料で形成され、頂部２１ａ、中間部２１ｂ、底部２１ｃから構成されている。栓２１の頂部２１ａは、円柱状であり、針管２０の一端に嵌まるように、その外径Ｄｓ１は針管２０の内径Ｄｔと略同一に形成されている。栓２１の中間部２１ｂは、円筒状であり、その端面が針管２０の一端に突き当たるように、その外径Ｄｓ２が針管２０の内径Ｄｔよりも大きく形成されている。これにより、針管２０の一端は栓２１により封止されている。栓２１の底部２１ｃは、栓２１の中間部２１ｂから全周にわたって半径方向に突出した形状に形成されている。この栓２１を針管２０の一端に取り付けることで、針管２０の他端から鍼灸針１０を挿入した場合に、鍼灸針１０が抜け出るのが防止される。
【００１６】
包装体３０は、図１〜図３、図６及び図７に示すように、透明な合成樹脂シートを膨隆状に成形した本体３１と、本体３１の開口面側を閉蓋する例えば紙で形成されるシート材３２とで形成されている。本体３１は、平坦部３１ａと凹状の収納部３１ｂとからなり、収納部３１ｂに、針管２０及び栓２１が収納される。収納部３１ｂは、内部で針管２０及び栓２１があまり移動しない程度の大きさで形成されている。針管２０及び栓２１を収納した後に、本体３１の平坦部３１ａをシート材３２と接着することで、針管２０及び栓２１が包装される。なお、本体３１の頂部３１ｃはシート材３２に接着されておらず、この頂部３１ｃを利用して包装体３０を容易に開封できるようにしている。
【００１７】
本体３１の収納部３１ｂには、針管２０及び栓２１を収納部３１ｂに収納したときに、栓２１の中間部２１ｂが配置される位置に、左右対称の凸部３３が形成されている。各凸部３３は、収納部３１ｂの壁面３１ｄから内方に突き出ており、栓２１の底部２１ｃ、中間部２１ｂ、及び、針管２０の一端により形成される凹溝に対応する形状を有している。各凸部３３が、前記凹溝内に嵌まり込んで、栓２１の底部２１ｃと係合することにより、針管２０及び栓２１が収納部内でしっかりと保持されている。また、針管２０を包装体３０から上方に引き抜く際には、栓２１の底部２１ｃが、凸部３３と係合するため、鍼灸針１０を針管２０と一体として包装体３０から取り出す際には、栓２１が包装体３０内に残り、鍼灸針１０と針管２０のみとを包装体３０から取り出すことができる。
【００１８】
以上のように、本実施形態によれば、鍼灸針１０と針管２０とを一体とするために、栓２１を用いて、針管２０内に鍼灸針１０を落下させずに保持する構成を取っている。これにより、使用時に鍼灸針１０と針管２０とが固定されておらず、かつ、針管２０から鍼灸針１０の柄部１２の外端部が突出しているため、鍼灸針１０のみを取り出す場合には、柄部１２の外端部を把持して容易に鍼灸針１０を取り出すことが可能となる。また、鍼灸針１０及び針管２０を取り出す場合には、栓２１が、凸部３３と係合して包装体３０の内部に取り残されるので、鍼灸針１０及び針管２０を取り出すと、そのまま使用することが可能となる。さらに、鍼灸針１０と針管２０とを固定する必要がなくなったため、鍼灸針１０の柄部１２を金属製とすることが可能となり、これにより、お灸の熱が伝わりやすくなる、又、電気治療において電気を送りやすくなる。
【００１９】
以上、本考案の一実施形態について説明したが、本考案はこの実施形態に限定されるものではなく、その趣旨を逸脱しない限りにおいて、種々の変更が可能である。
【符号の説明】
【００２０】
１      鍼灸針包装容器
１０    鍼灸針
１１    針部
１２    柄部
２０    針管
２１    栓
２１ａ  頂部
２１ｃ  底部
３０    包装体
３１    本体
３１ｂ  収納部
３２    シート材
３３    凸部
【図１】
0003163634.tif 000003
【図２】
0003163634.tif 000004
【図３】
0003163634.tif 000005
【図４】
0003163634.tif 000006
【図５】
0003163634.tif 000007
【図６】
0003163634.tif 000008
【図７】
0003163634.tif 000009